(57)【要約】【課題】入浴時の省エネルギー化に対する使用者側からのアプローチを支援するシステムを提供する。【解決手段】給湯器コントローラにより収集された入浴モニタデータに基づいて、パソコンのディスプレイに、各入浴単位におけるガス消費量とその料金及び水道使用量とその料金、湯張り運転か終了してから入浴が開始されるまでの経過時間、追焚き運転が終了してから入浴が開始されるまでの経過時間、及び連続する入浴単位間の時間間隔を表示する。また、入浴方法の問題点とその改善を促がすメッセージをディプレイプレイに表示する。【選択図】  図３
2004301381.tif 000002
【特許請求の範囲】
【請求項１】
浴室への入浴者の入室と該浴室からの該入浴者の退室とを検出する入退室検出手段と、該浴室に湯を供給する給湯器において消費されるエネルギー量を把握するエネルギー消費量把握手段と、表示手段と、
前記入退室検出手段により前記浴室への入浴者の入室が検出されてから前記入退室検出手段により該入浴者の前記浴室からの退室が検出されるまでを１回の入浴単位とし、該入浴単位における前記給湯器のエネルギー消費量を前記エネルギー消費量把握手段により把握して、前記表示手段に表示する表示制御手段とを備えたことを特徴とする入浴方法のモニタシステム。
【請求項２】
前記給湯器におけるエネルギー消費量を金額換算する金額換算手段を備え、
前記表示制御手段は、前記入浴単位における前記給湯器のエネルギー消費量を、前記金額換算手段により金額換算して前記表示手段に表示することを特徴とする請求項１記載の入浴方法のモニタシステム。
【請求項３】
浴室への入浴者の入室と該浴室からの該入浴者の退室とを検出する入退室検出手段と、該浴室に供給される湯水の量を検出する給水量検出手段と、表示手段と、
前記入退室検出手段により前記浴室への入室者の入室が検知されてから前記入退室検出手段により該入浴者の前記浴室からの退室が検知されるまでを１回の入浴単位とし、該入浴単位において前記湯水検出手段により検出される前記浴室への湯水の供給量の積算値を、前記表示手段に表示することを特徴とする入浴方法のモニタシステム。
【請求項４】
前記浴室に供給される湯水の量を金額換算する金額換算手段を備え、
前記表示制御手段は、前記入浴単位における湯水の供給量の積算値を、前記金額換算手段により金額換算して前記表示手段に表示することを特徴とする請求項３記載の入浴方法のモニタシステム。
【請求項５】
浴室への入室者を検出する入室検出手段と、該浴室に設置された浴槽に所定量の湯を供給する湯張り運転を行う湯張り手段と、表示手段と、
前記湯張り運転が終了してから前記入室検出手段により前記浴室への入室者が検出されるまでの経過時間を計時する計時手段と、
前記経過時間を前記表示手段に表示する表示制御手段とを備えたことを特徴とする入浴方法のモニタシステム。
【請求項６】
浴室への入室者を検出する入室検出手段と、該浴室に備えられた浴槽内の湯水を所定時間が経過するまで又は該浴槽内の湯の温度が所定の追焚き温度に達するまで加熱する追焚き運転を行う追焚き手段と、表示手段と、
前記追焚き手段による前記追焚き運転が終了してから前記入室検出手段により前記浴室への入室者が検出されるまでの経過時間を計測する計時手段と、
前記経過時間を前記表示手段に表示する表示制御手段とを備えたことを特徴とする入浴方法のモニタシステム。
【請求項７】
前記表示制御手段は、前記経過時間が所定時間を超えたときに、該経過時間を短縮して入浴することを促すメッセージを、前記表示手段に表示することを特徴とする請求項５又は請求項６記載の入浴方法のモニタシステム。
【請求項８】
浴室への入浴者の入室と該浴室からの該入浴者の退室とを検出する入退室検出手段と、該浴室に設置された浴槽内の湯の温度を検出する浴槽温度検出手段と、表示手段と、
前記入退室検出手段により前記浴室への入室者の入室が検出されてから前記入退室検出手段により該入浴者の前記浴室からの退室が検出されるまでを１回の入浴単位とし、複数の該入浴単位が把握されたときに、各入浴単位における前記浴槽内の湯の温度を前記浴室温度検出手段により検出して、時系列的に前記表示手段に表示する表示制御手段とを備えたことを特徴とする入浴方法のモニタシステム。
【請求項９】
前記表示制御手段は、連続する入浴単位において、先行した入浴単位における前記浴槽内の湯の温度が次の入浴単位における前記浴槽内の湯の温度よりも低かったときに、前記浴室内の湯の温度が高い入浴単位から先に行うことを促すメッセージを、前記表示手段に表示することを特徴とする請求項８記載の入浴方法のモニタシステム。
【請求項１０】
浴室への入浴者の入室と該浴室からの該入浴者の退室とを検出する入退室検出手段と、表示手段と、前記入退室検出手段により前記浴室への入浴者の入室が検出されてから前記入退室検出手段により該入浴者の前記浴室からの退室が検出されるまでを１回の入浴単位とし、複数の入浴単位が行われたときに、連続する入浴単位間の時間間隔を計時する計時手段と、
該計時手段により計時された連続する入浴単位間の時間間隔を、前記表示手段に表示する表示制御手段とを備えたことを特徴とする入浴方法のモニタシステム。
【請求項１１】
前記表示制御手段は、連続する入浴単位間の時間間隔が所定時間以上であったときに、該時間間隔を短縮して入浴することを促すメッセージを、前記表示手段に表示することを特徴とする請求項９記載の入浴方法のモニタシステム。
【発明の詳細な説明】
【０００１】
【発明の属する技術分野】
本発明は、入浴における省エネルギー化を促進するための入浴方法のモニタシステムに関する。
【０００２】
【従来の技術】
近年、家庭においても電気、燃料ガス等のいわゆるエネルギーの消費を抑える省エネルギー化の推進が必要とされてきている。そして、省エネルギー化を図るためのアプローチとしては、電気機器やガス機器におけるエネルギー効率を向上させる機器側からのアプローチと、例えば暖房機の暖房設定温度を低く設定する等の機器の使用態様の変更による使用者側からのアプローチとが考えられる。
【０００３】
そして、使用者側からの省エネルギー化のアプローチを支援する方法として、各家庭での燃料ガスや電気等の使用量と使用料金をメータに表示するようにしたシステムが提案されている（特許文献１）。かかるシステムによれば、使用者はメータの表示を確認してエネルギーの使用状況を把握することができるため、使用者の省エネルギー化の意識を高めることができる。
【０００４】
しかし、ガス機器や電気機器の使用態様は機器の種類によって大きく異なるため、各機器の使用態様に応じて、使用者側からの省エネルギー化のアプローチを支援することができるシステムが望まれている。
【０００５】
【特許文献１】
特開平８−１２９６７７号公報
【０００６】
【発明が解決しようとする課題】
本発明は上記不都合を解消し、入浴時の省エネルギー化に対する使用者側からのアプローチを支援するシステムを提供することを目的とする。
【０００７】
【課題を解決するための手段】
本発明は上記目的を達成するためになされたものであり、本発明の第１の態様は、浴室への入浴者の入室と該浴室からの該入浴者の退室とを検出する入退室検出手段と、該浴室に湯を供給する給湯器において消費されるエネルギー量を把握するエネルギー消費量把握手段と、表示手段と、前記入退室検出手段により前記浴室への入浴者の入室が検出されてから前記入退室検出手段により該入浴者の前記浴室からの退室が検出されるまでを１回の入浴単位とし、該入浴単位における前記給湯器のエネルギー消費量を前記エネルギー消費量把握手段により把握して、前記表示手段に表示する表示制御手段とを備えたことを特徴とする。
【０００８】
かかる本発明によれば、前記表示制御手段により、前記入浴単位における前記給湯器のエネルギー消費量が前記表示手段に表示される。そして、これにより、前記表示手段の表示を確認した利用者に対して入浴において消費されたエネルギー量を認識させ、エネルギーの節約の意識を高めることができる。
【０００９】
また、前記第１の態様において、前記給湯器におけるエネルギー消費量を金額換算する金額換算手段を備え、前記表示制御手段は、前記入浴単位における前記給湯器のエネルギー消費量を、前記金額換算手段により金額換算して前記表示手段に表示することを特徴とする。
【００１０】
かかる本発明によれば、前記表示手段に、前記入浴単位において消費されたエネルギー量が金額換算されて表示される。そのため、前記表示手段を確認した利用者に対して、エネルギー消費のコスト意識を高め、該コスト意識を誘因としてエネルギー消費の節約を促すことができる。
【００１１】
また、本発明の第２の態様は、浴室への入浴者の入室と該浴室からの該入浴者の退室とを検出する入退室検出手段と、該浴室に供給される湯水の量を検出する給水量検出手段と、表示手段と、前記入退室検出手段により前記浴室への入室者の入室が検知されてから前記入退室検出手段により該入浴者の前記浴室からの退室が検知されるまでを１回の入浴単位とし、該入浴単位において前記湯水検出手段により検出される前記浴室への湯水の供給量の積算値を、前記表示手段に表示することを特徴とする。
【００１２】
かかる本発明によれば、前記表示制御手段により、前記入浴単位における前記浴室への湯水の供給量の累積値が前記表示手段に表示される。そして、これにより、前記表示手段の表示を確認した利用者に対して、入浴において使用した湯水の量を認識させ、湯水の使用に伴うエネルギー及び水の使用量の節約の意識を高めることができる。
【００１３】
また、前記第２の態様において、前記浴室に供給される湯水の量を金額換算する金額換算手段を備え、前記表示制御手段は、前記入浴単位における湯水の供給量の積算値を、前記金額換算手段により金額換算して前記表示手段に表示することを特徴とする。
【００１４】
かかる本発明によれば、前記表示手段に、前記入浴単位において供給された湯水の積算値が金額換算されて表示される。そのため、前記表示手段を確認した利用者に対して、湯水の使用に対するコスト意識を高め、該コスト意識を誘因として湯水の使用の節約を促すことができる。
【００１５】
また、本発明の第３の態様は、浴室への入室者を検出する入室検出手段と、該浴室に設置された浴槽に所定量の湯を供給する湯張り運転を行う湯張り手段と、表示手段と、前記湯張り運転が終了してから前記入室検出手段により前記浴室への入室者が検出されるまでの経過時間を計時する計時手段と、前記経過時間を前記表示手段に表示する表示制御手段とを備えたことを特徴とする。
【００１６】
かかる本発明によれば、前記表示制御手段により、前記湯張り運転が終了してから前記浴室への入室者が検出されるまでの経過時間が前記表示手段に表示される。そして、これにより、前記表示手段の表示を確認した利用者に対して、前記湯張り運転が終了してから入浴するまでの経過時間についての意識を高めることができ、該経過時間が長くなって浴槽内の湯の温度低下の度合が大きくなる前に入浴することを促すことができる。この場合、入浴時に浴槽内の湯の温度を上げるために追焚きや差し湯を行うことによるエネルギー消費を抑制することができる。
【００１７】
また、本発明の第４の態様は、浴室への入室者を検出する入室検出手段と、該浴室に備えられた浴槽内の湯水を所定時間が経過するまで又は該浴槽内の湯の温度が所定の追焚き温度に達するまで加熱する追焚き運転を行う追焚き手段と、表示手段と、前記追焚き手段による前記追焚き運転が終了してから前記入室検出手段により前記浴室への入室者が検出されるまでの経過時間を計測する計時手段と、前記経過時間を前記表示手段に表示する表示制御手段とを備えたことを特徴とする。
【００１８】
かかる本発明によれば、前記表示制御手段により、前記追焚き運転が終了してから前記浴室への入室者が検出されるまでの経過時間が前記表示手段に表示される。そして、これにより、前記表示手段の表示を確認した利用者に対して、前記追焚き運転が終了してから入浴するまでの経過時間についての意識を高めることができ、該経過時間が長くなって浴槽内の湯の温度低下の度合が大きくなる前に入浴することを促すことができる。この場合、入浴時に浴槽内の湯の温度を上げるために追焚きや差し湯を行うことによるエネルギー消費を抑制することができる。
【００１９】
また、前記第３の態様及び前記第４の態様において、前記表示制御手段は、前記経過時間が所定時間を超えたときに、該経過時間を短縮して入浴することを促すメッセージを、前記表示手段に表示することを特徴とする。
【００２０】
かかる本発明によれば、前記湯張り運転又は前記追焚き運転が終了してから入浴が開始されるまでの前記経過時間が前記所定時間を超えたときに、前記メッセージ表示をすることにより、該メッセージを確認した使用者に対して前記経過時間を短縮することを直接的に促すことができる。
【００２１】
また、本発明の第５の態様は、浴室への入浴者の入室と該浴室からの該入浴者の退室とを検出する入退室検出手段と、該浴室に設置された浴槽内の湯の温度を検出する浴槽温度検出手段と、表示手段と、前記入退室検出手段により前記浴室への入室者の入室が検出されてから前記入退室検出手段により該入浴者の前記浴室からの退室が検出されるまでを１回の入浴単位とし、複数の該入浴単位が把握されたときに、各入浴単位における前記浴槽内の湯の温度を前記浴室温度検出手段により検出して、時系列的に前記表示手段に表示する表示制御手段とを備えたことを特徴とする。
【００２２】
かかる本発明によれば、複数の入浴単位における前記浴槽内の湯の温度を時系列的に前記表示手段に表示することによって、前記表示手段を確認した利用者に対して、各入浴単位における入浴者の好みの湯の温度を認識させて、各入浴者の入浴順序を検討する材料を提供することができる。そして、検討の結果、例えば、好みの湯の温度が同じ入浴者が続いて入浴することで、浴室内の湯の追焚きや差し水を行う頻度を減らことができ、これにより追焚きに要するエネルギーの節約や差し水に使用する水を節約することができる。
【００２３】
また、前記第５の態様において、連続する入浴単位において、先行した入浴単位における前記浴槽内の湯の温度が次の入浴単位における前記浴槽内の湯の温度よりも低かったときに、前記浴室内の湯の温度が高い入浴単位から先に行うことを促すメッセージを、前記表示手段に表示することを特徴とする。
【００２４】
かかる本発明によれば、前記メッセージを確認した利用者に対して、浴槽内の湯の温度が高い入浴単位から先に行うことを促すことができる。そして、このように浴槽内の湯の温度が高い入浴単位から先に行った場合、浴槽内の湯は時間の経過に応じて自然に低下するが、これは、後に行われた入浴単位における浴槽内の湯の温度の低下と同じ傾向であるため、後に行われた入浴単位で追焚きや差し湯が行なわれる可能性が低くなり、該追焚きや差し湯に伴うエネルギー消費を節約することができる。
【００２５】
また、本発明の第６の態様は、浴室への入浴者の入室と該浴室からの該入浴者の退室とを検出する入退室検出手段と、表示手段と、前記入退室検出手段により前記浴室への入浴者の入室が検出されてから前記入退室検出手段により該入浴者の前記浴室からの退室が検出されるまでを１回の入浴単位とし、複数の入浴単位が行われたときに、連続する入浴単位間の時間間隔を計時する計時手段と、該計時手段により計時された連続する入浴単位間の時間間隔を、前記表示手段に表示する表示制御手段とを備えたことを特徴とする。
【００２６】
かかる本発明によれば、前記表示制御手段により、連続する入浴単位間の時間間隔が前記表示手段に表示される。そして、これにより、前記表示手段の表示を確認した利用者に対して、入浴単位間の時間間隔についての意識を高めることができ、該時間間隔が長くなって、入浴開始時の浴槽内の湯の温度低下の度合が大きくなる前に入浴することを促すことができる。そのため、浴室内の湯の追焚きや差し湯が行なわれることを抑制して、該追焚きや差し湯に伴うエネルギー消費を節約することができる。
【００２７】
また、前記第６の態様において、前記表示制御手段は、連続する入浴単位間の時間間隔が所定時間以上であったときに、該時間間隔を短縮して入浴することを促すメッセージを、前記表示手段に表示することを特徴とする。
【００２８】
かかる本発明によれば、前記表示制御手段は、前記表示手段に前記メッセージを表示することにより、前記メッセージを確認した利用者に対して前記時間間隔を短縮することを直接的に促すことができる。
【００２９】
【発明の実施の形態】
本発明の実施の形態の一例について、図１〜図３を参照して説明する。図１は本発明の入浴方法のモニタシステムの全体構成図、図２は図１に示した入浴方法のモニタシステムの制御ブロック図、図３は図２に示したディスプレイの表示例である。
【００３０】
図１を参照して、家屋１の浴室２には、浴槽３，浴室２内の入浴者を検出する人体センサ４（本発明の入退室検出手段及び入室検出手段に相当する）、給湯器５の作動条件を設定する風呂リモコン６、シャワー７、及びカラン８が備えられている。
【００３１】
また、給湯器５はネットワーク２０を介してデータセンタ２１と通信可能に接続され、家屋１内のパソコン３０はネットワーク２０を介してＷＥＢサーバ２２と通信可能に接続されている。
【００３２】
給湯器５は、ガスバーナ（図示しない）により熱交換器（図示しない）を加熱して、該熱交換器内を流通する水を加熱して湯を生成するものであり、マイクロコンピュータやメモリ等により構成された電子ユニットである給湯器コントローラ４０により全体の作動が制御される。そして、給湯器５は、風呂リモコン６により設定された給湯温度の湯をシャワー７及びカラン８から供給する給湯運転と、風呂リモコン６により設定された湯張り温度の湯を風呂リモコン６により設定された湯張り量だけ浴槽３に供給する湯張り運転と、浴槽３内の湯水を風呂リモコン６により設定された追焚き温度まで加熱する追焚き運転とを実行する。
【００３３】
次に、図２を参照して、給湯器コントローラ４０は、人体センサ４と、風呂リモコン６と、浴室２への湯水の供給量を検出する給水量センサ５０（本発明の給水量検出手段に相当する）と、浴槽３内の湯の温度を検出する浴槽温度センサ５１（本発明の浴槽温度検出手段に相当する）とに、通信可能に接続されている。
【００３４】
そして、給湯器コントローラ４０は、前記給湯運転を実行する給湯制御手段４１、前記湯張り運転を実行する湯張り制御手段４２、前記追焚き運転を実行する追焚き制御手段４３、給湯器５に備えられたバーナにより消費される燃料ガスの量を該バーナの燃焼量に応じて把握するガス使用量把握手段４４（本発明のエネルギー消費量把握手段に相当する）、各種の計時処理を行う計時手段４５、及び入浴に関する各種のモニタデータを収集してネットワーク２０を介してデータセンタ２１に送信するモニタデータ収集手段４６を備えている。
【００３５】
モニタデータ収集手段４６は、人体センサ４により浴室２への入浴者の入室の有無を監視し、人体センサ４により浴室２への入浴者の入室が検出されてから該入浴者の浴室２からの退室が検出されるまでを１回の入浴単位として把握する。そして、モニタデータ収集手段４６は、各入浴単位における燃料ガスの使用量をガス使用量把握手段４４により把握して各入浴単位におけるガス使用量データ（Ｇｄ［１，２，…ｎ］，ｎは入浴単位の個数）を生成する。
【００３６】
また、モニタデータ収集手段４６は、各入浴単位における水道使用量を給水量センサ５０により検出して各入浴単位における水道使用量データ（Ｗｄ［１，２，…ｎ］）を生成する。また、モニタデータ収集手段４６は、各入浴単位における浴槽３内の湯の温度を浴槽温度センサ５１により検出して各入浴単位における浴槽温度データ（Ｂｄ［１，２，…，ｎ］）を生成する。
【００３７】
さらに、モニタデータ収集手段４６は、湯張り制御手段４２による湯張り運転が終了してから人体センサ４により浴室２への入浴者の入室が検出されるまでの経過時間と、追焚き制御手段４３による追焚き運転が終了してから人体センサにより浴室２への入浴者の入室が検出されるまでの経過時間と、連続した入浴単位間の時間間隔とを、計時手段４５により計時して計時データ（Ｔｄ［１，２，…，ｎ］）を生成する。
【００３８】
そして、モニタデータ収集手段４６は、１日単位で、ガス使用量データ（Ｇｄ［１，２，…ｎ］）、水道使用量データ（Ｗｄ［１，２，…ｎ］）、浴槽温度データ（Ｂｄ［１，２，…，ｎ］）、計時データ（Ｔｄ［１，２，…，ｎ］）、及び風呂リモコン６により設定された給湯器５の運転条件データ（Ｒｄ［１，２，…ｎ］）を収集し、これらのデータ（以下、入浴モニタデータという）をネットワーク２０を介してデータセンタ２１に送信する。
【００３９】
データセンタ２１においては、各家庭に設置された給湯器５の給湯器コントローラ４０から送信される１日単位の入浴モニタデータを、データベース２５に記憶する。
【００４０】
また、ＷＥＢサーバ２２は、ある家庭のパソコン３０から「入浴方法のモニタ表示」を要求するアクセスがあったときに、データセンタ２１のデータベース２５に記憶された該家庭の入浴モニタデータを取得する。そして、金額換算手段２６によりガス使用量と水道使用量を金額換算する処理を行って、「入浴方法のモニタ表示」の要求において指定された日の該家庭の入浴方法をモニタ表示する画像データ生成し、該画像データをネットワーク２０を介してパソコン３０に送信する。
【００４１】
図３は、前記画像データを用いてパソコン３０のディスプレイ３１に表示された入浴方法のモニタ表示画面の例である。図３において、ｔ１は湯張り運転の開始時刻、ｔ２は湯張り運転の終了時刻、ｔ３は１回目の入浴単位の開始時刻、ｔ４は１回目の入浴単位の終了時刻、ｔ５は２回目の入浴単位の開始時刻、ｔ６は２回目の入浴単位の終了時刻をそれぞれ示している。
【００４２】
また、Ｗ１は湯張り運転における水道使用量とその料金、Ｗ２は１回目の入浴単位における水道使用量とその料金、Ｗ３は２回目の入浴単位における水道使用量とその料金を示している。また、Ｇ１は湯有り運転におけるガス消費量とその料金、Ｇ２は１回目の入浴単位におけるガス使用量とその料金、Ｇ２は２回目の入浴単位におけるガス使用量とその料金をそれぞれ示している。また、Ｔ１は湯張り運転における湯張り温度、Ｔ２は１回目の入浴単位における追焚き温度、Ｔ３は２回目の入浴単位における追焚き温度である。
【００４３】
このように、各家庭における入浴方法をモニタ表示することにより、該モニタ表示を閲覧した各家庭の居住者に対して、各入浴単位における入浴方法の問題点を認識させることができる。
【００４４】
入浴方法の問題点としては、湯の使い過ぎ（水道使用量及びガス消費量から確認できる）、湯張り運転の終了時刻（ｔ２）から入浴開始時刻（ｔ３）までの経過時間（ｔｗ）が長い、入浴単位間の時間間隔（ｔｉ）が長い、等が挙げられる。
【００４５】
さらに、ＷＥＢサーバ２２においては、入浴モニタデータを分析して、入浴方法の問題点を指摘すると共に、該問題点の改善を促すメッセージを表示する画像データをパソコン３０に送信する。そして、これにより、ＷＥＢサーバ２２は、入浴方法の改善対策を直接的に閲覧者に指示して、入浴における省エネルギー化の促進を図っている。
【００４６】
ここで、問題点の改善を促すメッセージとして、ＷＥＢサーバ２２は、例えば、湯張り運転の終了時から入浴開始までの経過時間（ｔｗ）が予め設定された基準時間（例えば２０分、本発明の所定時間に相当する）よりも長かったときに、「お風呂を準備してから入浴するまでの時間が長いですよ。お風呂の準備を遅くするとガス料金の節約になります。」というメッセージを表示する画像データを送信する。
【００４７】
また、入浴単位間の間隔（ｔｉ）が予め設定された基準時間（例えば２０分、本発明の所定時間に相当する）よりも長かったときに、「お風呂は続けて入りましょう。」というメッセージを表示する画像データを送信する。
【００４８】
また、図３のモニタ表示では、１回目の入浴単位での浴槽３内の湯の温度（図３では４１℃）が、２回目の入浴単位での浴槽３内の湯の温度（図３では４３℃）よりも低くなっている。この場合、１回目の入浴単位における入浴者はぬるめの湯につかるのが好きであるため浴槽３に差し水をして浴槽３内の湯の温度を下げ、２回目の入浴単位における入浴者は熱めの湯につかるのが好きであるため追焚きや差し湯をして浴槽３内の湯の温度を上げたと考えられる。
【００４９】
それに対して、入浴者の順序を入れ替えて、熱い湯が好きな入浴者から先に入浴するようにすると、１回目の入浴単位で追焚き運転や差し湯をする必要がなくなる。そして、１回目の入浴単位から２回目の入浴単位までの時間の経過により、浴槽３内の湯の温度は自然に低下するため、２回目の入浴単位で浴槽３内の湯の温度を下げるために必要な差し水の量も少なくて済む。そのため、ガス使用量と水道使用量を共に節約することができる。
【００５０】
そこで、ＷＥＢサーバ２２は、連続する入浴単位で、先に行われた入浴単位における浴槽３内の湯の温度が後に行われた入浴単位における浴槽３内の湯の温度よりも低かったときは、「熱いお風呂が好きな人から先に入ると、ガス消費量を節約できます。」というメッセージを表示する画像データをパソコン３０に送信する。
【００５１】
なお、本実施の形態では、入浴方法のモニタ表示において、水道使用量とその料金、ガス使用量とその料金、湯張り運転の終了時から入浴開始までの経過時間、追焚き運転の終了時から入浴開始までの経過時間、浴槽温度、及び入浴単位間の時間間隔を表示したが、これらのうちの少なくともいずれか１つを表示することによって、本発明の効果を得ることができる。
【００５２】
また、本実施の形態では、入浴方法のモニタ表示において、水道料金とガス料金を表示したが、これらを表示しない場合にも本発明の効果を得ることができる。
【００５３】
また、本実施の形態では、入浴方法のモニタ表示において、入浴方法の問題点を指摘してその改善を促すメッセージを表示したが、該メッセージを表示しない場合にも本発明の効果を得ることができる。
【００５４】
また、本実施の形態では、データセンタ２１及びＷＥＢサーバ２２によって、入浴モニタデータの記憶と加工を行ったが、給湯器５とパソコン３０を通信可能に直接接続して、パソコン３０により入浴モニタデータの記憶と加工を行ってもよい。さらに、風呂リモコン６にディスプレイが備えられている場合には、給湯器コントローラ４０或いは風呂リモコン６によって入浴モニタデータの記憶と加工を行い、風呂リモコン６のディスプレイに入浴方法のモニタ画面を表示するようにしてもよい。
【００５５】
また、本実施の形態では、本発明の入退室検出手段及び入室検出手段として、入浴者を直接的に検出する人体センサ４（撮像素子や赤外線検出素子により構成される）を用いたが、浴室のドアの開閉を検出するセンサや給水量センサ５０により湯水の使用の有無を検出することによって、間接的に入浴者の浴室２への入室と該入浴者の浴室２からの退室を検出するようにしてもよい。
【００５６】
また、本実施の形態では、ガスをエネルギー源とする給湯器を示したが、電気や石油をエネルギー源とする給湯器を用いたときにも、本発明の適用が可能である。
【図面の簡単な説明】
【図１】本発明の入浴方法のモニタシステムの全体構成図。
【図２】図１に示した入浴方法のモニタシステムの制御ブロック図。
【図３】図２に示したディスプレイの表示例。
【符号の説明】
２…浴室、３…浴槽、４…人体センサ、５…給湯器、６…風呂リモコン、２１…データセンタ、２２…ＷＥＢサーバ
【図１】
2004301381.tif 000003
【図２】
2004301381.tif 000004
【図３】
2004301381.tif 000005